(57)【要約】【課題】軒樋から竪樋への落ち葉やごみの流入を防ぎ、高排水性能を妨げない落ち葉除け部材を提供する。【解決手段】軒樋の接続に用いる内接続の継ぎ手２０と、前記継ぎ手の内部に設けられた、縦方向に長い所定幅の複数の隙間を有する落ち葉除け３０とを備える。【選択図】図２
2013076232.tif 000002
【特許請求の範囲】
【請求項１】
軒樋の接続に用いる内接続の継ぎ手と、
前記継ぎ手の内部に設けられ縦方向に長い所定幅の複数の隙間を有する落ち葉除けと、
を備えることを特徴とする落ち葉除け部材。
【請求項２】
前記落ち葉除けは、所定の隙間をもって立設された複数の板状部材であることを特徴とする請求項１記載の落ち葉除け部材。
【請求項３】
前記板状部材の雨水の流入側の側面は、雨水の流れ方向に対して逆スロープ状の傾斜面であることを特徴とする請求項２記載の落ち葉除け部材。
【請求項４】
前記落ち葉除けは、櫛歯状の部材であることを特徴とする請求項１記載の落ち葉除け部材。
【請求項５】
前記櫛歯状の部材は、雨水の流れ方向に対して逆スロープ状に傾斜するように設けられていることを特徴とする請求項４記載の落ち葉除け部材。
【発明の詳細な説明】
【技術分野】
【０００１】
本発明は、軒樋に用いられる落ち葉除け部材に関するものである。
【背景技術】
【０００２】
近年省資源で大量の雨水を排水可能なシステムへの要望が高まっている。特に雨樋においては径の細い竪樋を用い、いわゆるサイホンの原理を利用して排水を行なうサイホン式高排水システムが提案されている。この高排水システムにおいては、落ち葉をはじめとするごみの竪樋への流入により管詰まりが生じる危険性が高いため落ち葉除け部材は必須である。
【０００３】
従来の落ち葉除け部材には、集水器の軒樋差込口に櫛歯状の部材を配置し落ち葉が集水器内に流れ込むのを防止するものや（特許文献１参照）、軒樋の開口部を落ち葉除よけネットで覆い軒樋に落ち葉が侵入するのを防止するもの（特許文献２参照）が存在する。
【先行技術文献】
【特許文献】
【０００４】
【特許文献１】特開２００２−３１７５３４号公報
【特許文献２】特開２０００−８７５１９号公報
【発明の概要】
【発明が解決しようとする課題】
【０００５】
しかし上述の集水器の軒樋差込口に櫛歯状の部材を配置するものは、集水器への落ち葉の流入を防止することはできるが、堆積した落ち葉が徐々に高さを増し排水の妨げになる。また軒樋の開口部を落ち葉除よけネットで覆うものは、施工に時間と手間がかかり多くの資材が必要となり高コストであった。
【０００６】
本発明の目的は、軒樋から竪樋への落ち葉やごみの流入を防ぎ、高排水性能を妨げない落ち葉除け部材を提供することである。
【課題を解決するための手段】
【０００７】
本発明の落ち葉除け部材は、軒樋の接続に用いる内接続の継ぎ手と、前記継ぎ手の内部に設けられ縦方向に長い所定幅の複数の隙間を有する落ち葉除けと、を備えることを特徴とする。
【０００８】
また本発明の落ち葉除け部材は、前記落ち葉除けが所定の隙間をもって立設された複数の板状部材であることを特徴とする。
【０００９】
また本発明の落ち葉除け部材は、前記板状部材の雨水の流入側の側面が、雨水の流れ方向に対して逆スロープ状の傾斜面であることを特徴とする。
【００１０】
また本発明の落ち葉除け部材は、前記落ち葉除けが櫛歯状の部材であることを特徴とする。
【００１１】
また本発明の落ち葉除け部材は、前記櫛歯状の部材が、雨水の流れ方向に対して逆スロープ状に傾斜するように設けられていることを特徴とする。
【発明の効果】
【００１２】
本発明によれば、軒樋から竪樋への落ち葉やごみの流入を防ぎ、高排水性能を妨げない落ち葉除け部材を提供することができる。
【図面の簡単な説明】
【００１３】
【図１】実施の形態に係る軒樋及び継ぎ手の斜視図である。
【図２】実施の形態に係る落ち葉除け部材の斜視図である。
【発明を実施するための形態】
【００１４】
以下、図面を参照して、本発明の実施の形態に係る落ち葉除け部材について説明する。図１は実施の形態に係る落ち葉除け部材２が設置される軒樋４と軒樋４を接続する軒継ぎ手６の斜視図である。軒樋４は、底壁４０と、底壁４０の前端に立設された前側壁４１と、底壁４０の後端に立設された後側壁４２とを有し、上方に拡開した略U字状の断面形状を有している。軒継ぎ手６は外面形状が軒樋4の内面形状と略合致する形状に成形された内接続の継ぎ手であり、底壁６０と、底壁６０の前端に立設された前側壁６１と、底壁６０の後端に立設された後側壁６２とを有している。
【００１５】
軒樋４は、軒樋４同士の端部を互いに付き合わせた状態で配設され、軒樋４同士の端部が付き合わされた箇所の軒樋４の内部に、付き合わせた箇所を跨ぐように軒継ぎ手６が配設され、軒樋４同士の接続が行なわれる。
【００１６】
図２は実施の形態に係る落ち葉除け部材２の斜視図である。葉除け部材２は、軒継ぎ手６と同一な外面形状を有した内接続の継ぎ手２０を有し、継ぎ手２０は、底壁２０ａと、底壁２０ａの前端に立設された前側壁２１ｂと、底壁２０ａの後端に立設された後側壁２２ｃとを備えている。継ぎ手２０の内部には落ち葉よけ３０が設けられている。即ち継ぎ手２０の底壁２０ａ上には落ち葉よけ３０を構成する複数の板状部材３１が所定の隙間を形成するように立設されている。これにより、それぞれの板状部材３１間には縦方向に長い所定幅の隙間が形成されている。ここで板状部材３１は台形形状を有しているため、雨水の流入側の側面は、雨水の流れ方向に対して逆スロープ状の傾斜面となっている。
【００１７】
落ち葉除け部材２は、軒樋４同士を接続する軒継ぎ手６として用いることができるため、軒継ぎ手６に代えて落ち葉除け部材２で軒樋４同士の接続を行うことができる。また落ち葉除け部材２は、外面形状が軒樋４の内面形状と略同一であるため、軒樋４同士の接続箇所以外の軒樋４の内部の何れの箇所にも配置することができる。
【００１８】
この実施の形態においては、軒樋４内に落ち葉が侵入した場合には、軒樋４の接続箇所に設けられた落ち葉除け部材２及び軒樋４の接続箇所以外の軒樋６内に設けられた落ち葉除け部材２により落ち葉を捕捉することができるため、落ち葉が堆積する箇所を分散することができる。また落ち葉は、雨水の流れにより落ち葉除け部材２の傾斜面に沿って板状部材３１の上方に押し上げられた位置で捕捉されるため、板状部材３１の下部の隙間は閉塞されにくく雨水の流れを阻害しない。
【００１９】
更に、落ち葉は落ち葉除け部材２により捕捉されるため竪樋に流れ込むのを防止することができるため、特に径の細い竪樋を用いて排水する、サイホンの原理を利用したサイホン式高排水システムに有効に用いられる。また従来の軒樋施工と同様に施工でき、更には追加設定も可能である。
【００２０】
なお、上述の実施の形態においては、落ち葉除け部材２が複数の板状部材３１が所定の隙間を形成するように立設された落ち葉除け３０を備えているが、落ち葉除け３０として櫛歯状の部材を設けても良い。この場合においても櫛歯状の部材は、内接続の継ぎ手内に雨水の流れ方向に対して逆スロープ状に傾斜する世に設けることが好ましい。
【符号の説明】
【００２１】
２…落ち葉除け部材、４…軒樋、６…軒継ぎ手、２０…継ぎ手、３０…落ち葉除け、３１…板状部材
【図１】
2013076232.tif 000003
【図２】
2013076232.tif 000004